(57)【要約】  【課題】熱交換された空気を室内に吹き出すファンに付着した塵埃を除去することができる空気調和機の清掃体及び空気調和機を提供する。  【解決手段】空気調和機に取着されたファン５に堆積した塵埃を除去するために、該ファン５の近傍に清掃体１を設けた。【選択図】図１
2008045858.tif 000002
【特許請求の範囲】
【請求項１】
空気調和機に取着されたファンに堆積した塵埃を除去するために、該ファンの近傍に清掃体を設けたことを特徴とする空気調和機。
【請求項２】
空気調和機に取着された熱交換器のフィンに堆積した塵埃を除去するために、該フィンの近傍に清掃体を設けたことを特徴とする空気調和機。
【請求項３】
請求項１又は２に記載の清掃体は、長尺の繊維束を蛇行状に折曲させて仮止め糸により帯状に連ねた帯状ブラシ片を長手方向に切断してなるブラシ体と、該ブラシ体の一方の端部を収容するブラシホルダーとを有することを特徴とする空気調和機の清掃体。
【請求項４】
ブラシ体は長手方向に繊維束間を固着する溶着部を有することを特徴とする請求項３に記載の空気調和機の清掃体。
【請求項５】
請求項１又は２に記載の清掃体は、起毛布からなるブラシ体と、該ブラシ体の一方の端部を収容するブラシホルダーとを有することを特徴とする空気調和機の清掃体。
【発明の詳細な説明】
【技術分野】
【０００１】
本発明は、空気調和機に取り付けられたファン又は熱交換器のフィンの清掃を行う空気調和機の清掃体と、それを用いた空気調和機に関するものである。
【背景技術】
【０００２】
従来の空気調和機について、図８を用いて説明する。図８は従来の空気調和機の縦断面図である。空気調和機本体２１内には、熱交換器２２と、室内の空気を取り入れる吸込口２３と、前記熱交換器２２と前記吸込口２３の間に設けられたベルト状のエアフィルター２４と、このエアフィルター２４を張設した駆動軸２６及び従動軸２７と、前記駆動軸２６を回転駆動するサーボモーター２５と、前記エアフィルター２４で捕集された塵埃を除去する空気調和機用回転ロータ２８（以下、「回転ロータ２８」という）と、前記回転ロータ２８を回転駆動する駆動手段（図示せず）と、前記吸込口２３と連通し前記回転ロータ２８を内設し排出口２９を有する排気管３０と、前記排気管３０内に設けられた塵埃排出用ファン３１と、前記吸込口２３から室内の空気を吸引し、熱交換器２２を通して吹き出し口３２から熱交換された空気を室内に吹き出すファン３３とを備えている。
【０００３】
上記空気調和機の動作、作用は以下の通りである。空気調和機本体２１を、例えば、冷房運転すると、ファン３３により室内の空気が吸引口２３から流入し、エアフィルター２４を通って熱交換器２２に至り、そこで冷却され、冷たい空気が吹き出し口３２から室内に吹き出される。吸引される室内の空気に含まれる塵埃は、前記エアフィルター２４で捕集され、エアフィルター２４の表面に堆積する。エアフィルター２４の表面に塵埃が堆積してくると、空気の通気圧損が増加し、熱交換効率が低下してくるので、定期的に或いは、必要に応じて、エアフィルター２４上の塵埃の除去運転が必要となる。
【０００４】
塵埃の除去運転は、サーボモーター２５を運転して駆動軸２６を回転させてベルト状のエアフィルター２４を連続的に移動させ、その間に回転ロータ２８を回転させると共に塵埃排出用ファン３１を運転するもので、エアフィルター２４上の塵埃が、回転ロータ２８の清掃体で掻き取られ、掻き取られた塵埃は、塵埃排出用ファン３１により吸引され、排出口２９より室外に排出されるようになっている（例えば、特許文献１参照）。
【０００５】
また、エアフィルターの上流側表面に沿って移動可能であって、塵埃吸引用の吸引孔と、この吸引孔の開口面積を変える吸引孔開閉板とを有する吸引ノズルと、この吸引ノズルに連結された吸引装置とを備えた空気調和機も知られている(例えば、特許文献２参照)。
【０００６】
【特許文献１】特開平６−７４５２１号公報
【特許文献２】特開２００５−１４０４０５号公報
【発明の開示】
【発明が解決しようとする課題】
【０００７】
上記従来の技術ではエアフィルターの網目に付着した塵埃を除去することはできるものの、エアフィルターを通過して熱交換器２２のフィンに付着した塵埃や、熱交換された空気を室内に吹き出すファン３３に付着した塵埃を除去することはできていない。
【０００８】
本発明は上記点に鑑み、熱交換器のフィンに付着した塵埃や熱交換された空気を室内に吹き出すファンに付着した塵埃を除去することができる空気調和機の清掃体及び空気調和機を提供することを目的とする。
【課題を解決するための手段】
【０００９】
請求項１の発明は、空気調和機に取着されたファンに堆積した塵埃を除去するために、該ファンの近傍に清掃体を設けたことに特徴を有する。したがって、ファンと清掃体とが接触することによって、ファンに堆積した塵埃を落とすことができる。
【００１０】
請求項２の発明は、空気調和機に取着された熱交換器のフィンに堆積した塵埃を除去するために、該フィンの近傍に清掃体を設けたことに特徴を有する。したがって、フィンと清掃体とが接触することによって、フィンに堆積した塵埃を落とすことができる。
【００１１】
請求項３の発明は、請求項１又は２に記載の清掃体は、長尺の繊維束を蛇行状に折曲させて仮止め糸により帯状に連ねた帯状ブラシ片を長手方向に切断してなるブラシ体と、該ブラシ体の一方の端部を収容するブラシホルダーとを有することに特徴を有する。したがって、空気調和機に設置する清掃体を簡易に製作することができるので、空気調和機自体のコストを下げることができる。
【００１２】
請求項４の発明は、請求項３の発明において、ブラシ体は長手方向に繊維束間を固着する溶着部を有することに特徴を有する。したがって、溶着部によって多数の繊維が一体となるので、毛抜けを防止することができる。
【００１３】
請求項５の発明は、請求項１又は２に記載の清掃体は、起毛布からなるブラシ体と、該ブラシ体の一方の端部を収容するブラシホルダーとを有することに特徴を有する。したがって、起毛布の基部をブラシホルダーに固定することによって簡易に清掃体を製作することができる。
【発明の効果】
【００１４】
本発明では、簡易な清掃体を空気調和機のファン又はフィン近傍に設置することによって製造コストを抑えつつ、ファン又はフィンの塵埃を効率よく除去することが可能となる。この清掃体を備えた空気調和機を使用することによって、空気調和機の熱交換率を上げることができることから、電気代の節約にもつながる。
【発明を実施するための最良の形態】
【００１５】
次に、本発明の実施形態を図面に基づいて説明する。図１は本発明の第１実施形態における空気調和機の清掃体１を搭載した空気調和機の縦断面図である。図１において、空気調和機本体１０は、フィンを備えた熱交換器４と、室内の空気を取り入れる吸込口２と、前記熱交換器４と前記吸込口２との間に配され、前記吸込口２から流入する空気中に含まれる塵埃を捕集するエアフィルター３と、前記吸込口２から室内の空気を吸引し、エアフィルター３、熱交換器４を通して、吹出口６から、熱交換された空気を室内に吹き出すファン５と、このファン５に一部が接触するＯＮ状態とファン５に接触しないＯＦＦ状態とに設定可能な清掃体１とを備えている。
【００１６】
次に、図２は本発明の空気調和機の清掃体１の正面図（Ａ）及び側面図（Ｂ）である。清掃体１は、ブラシ部１１１ａと基部１１２とからなるブラシ体１ａと、支持溝１１３を有するブラシホルダー１ｂとから構成されている。そして、ブラシ体１ａの基部１１２がブラシホルダー１ｂの支持溝１１３に挿入されて固定されている。
尚、清掃体１の長手方向の寸法は空気調和機のファン５の長手方向の長さと略等しい寸法としている。
【００１７】
図３は本発明の空気調和機の清掃体１のブラシ体を製作するための帯状ブラシ片１２を示す説明図である。先ず、所望の太さにまとめた長尺の繊維束を、蛇行状に折曲させて、ブラシの背丈の略２倍の横幅寸法の帯状ブラシ片１２とする。次に、両縁部近傍を仮止め糸１４、１４によって固定する。さらに両縁部を止め糸１３、１３によって固定する。次に、両縁部を一端から他端に亘って溶着するのである。これによって、両縁部に基部（溶着部）１１２が形成され、蛇行状に折曲させられた長尺な繊維束は解けることがなくなり、帯状ブラシ片１２は固定される。そして、この帯状ブラシ片１２の中央部を切断することによって上述のブラシ体１ａが２個製作される。
尚、両縁部に形成されている基部１１２は溶着以外の方法で形成することもできる。
【００１８】
図４は本発明の空気調和機の清掃体１を構成するブラシ体１ａとブラシホルダー１ｃとを示す説明図である。前述したように、ブラシホルダー１ｃには支持溝１１３が形成されているので、この支持溝１１３にブラシ体１ａの基部１１２を矢印方向にスライドさせながら挿入することによって、清掃体１は製作される。
【００１９】
図５は本発明の空気調和機の清掃体１を構成するブラシ体１ａ及び１ｂを示す説明図である。図５（Ａ）に示すブラシ体１ａは上述した帯状ブラシ片１２から製作されたものであるが、他の方法で製作することもできる。例えば、図５（Ｂ）に示すブラシ体１ｂはブラシ部１１１ｂの多数の繊維束間に隙間を有するように製作することも可能である。このように、繊維束間に隙間を形成することによって、空気調和機のファン５に接触する時の音を軽減させることができる。また、塵埃がこの隙間から下に落ちるので、ブラシ部１１１ｂに付着するのを防ぐことができる。尚、繊維束は１束が約１０本の繊維で構成されている。
【００２０】
また、ブラシ体１ａ及び１ｂに液体の銀イオン抗菌剤を含侵させて、防カビ加工を施してもよい。抗菌剤としては、抗菌性金属の銀、亜鉛、銅等を用いた無機系抗菌剤、塩化ベンザルコニウム、クロルヘキシジン、ジンクピリチオン、ビグアナイド等を用いた有機系抗菌剤、ヒノチオール、キトサン、ヨモギ抽出エキス等を用いた天然系抗菌剤のいずれも使用することができる。
【００２１】
図６は本発明の空気調和機の清掃体１を構成する他のブラシ体１１を示す斜視図である。このブラシ体１１は起毛布からなるものであり、この起毛布は、基布に単繊維を密植したもので、基部１１ｂと毛部１１ａとで構成される。
【００２２】
図７は本発明の第２実施形態における空気調和機の清掃体１５を搭載した空気調和機の縦断面図である。図７において、空気調和機本体１０ａは、フィンを備えた熱交換器４と、この熱交換器４のフィンに一部が接触した状態で矢印方向に移動可能な清掃体１５と、室内の空気を取り入れる吸込口２と、前記熱交換器４と前記吸込口２との間に配され、前記吸込口２から流入する空気中に含まれる塵埃を捕集するエアフィルター３と、前記吸込口２から室内の空気を吸引し、エアフィルター３、熱交換器４を通して、吹出口６から、熱交換された空気を室内に吹き出すファン５とを備えている。
尚、清掃体１５は通常は熱交換器４のフィンとは接触しない位置にあり、リモコン等の操作ボタンを押すことによってフィンと接触して清掃が開始されるものである。
【００２３】
尚、本発明の趣旨を逸脱しない範囲において、種々の実施形態をとることができることは言うまでもない。例えば、上記第１実施形態のファンを清掃する清掃体と第２実施形態のフィンを清掃する清掃体との両方が設置されている空気調和機であってもよく、さらに、従来技術で説明したエアフィルターを清掃する清掃体が設置されている空気調和機にも適用することも可能である。
【産業上の利用可能性】
【００２４】
本発明の空気調和機の清掃体及び空気調和機は主に室内の冷房、暖房、除湿等を行う空気調和機として、又は、この空気調和機のファン又はフィンの清掃のために利用される。
【図面の簡単な説明】
【００２５】
【図１】本発明の第１実施形態における空気調和機の清掃体を搭載した空気調和機の縦断面図である。
【図２】本発明の空気調和機の清掃体の正面図及び側面図である。
【図３】ブラシ体を製作するための帯状ブラシ片を示す説明図である。
【図４】ブラシ体とブラシホルダーとを示す説明図である。
【図５】空気調和機の清掃体を構成するブラシ体を示す説明図である。
【図６】空気調和機の清掃体を構成する他のブラシ体を示す斜視図である。。
【図７】本発明の第２実施形態における空気調和機の清掃体を搭載した空気調和機の縦断面図である。
【図８】従来の空気調和機の清掃体を配した空気調和機の縦断面図である。
【符号の説明】
【００２６】
１，１５  清掃体
１ａ，１ｂ，１１  ブラシ体
１ｂ  ブラシホルダー
２  吸込口
３  エアフィルター
４  熱交換器
５  ファン
６  吹出口
１０，１０ａ  空気調和機本体
１２  帯状ブラシ片
１３  止め糸
１４  仮止め糸
１１１ａ，１１１ｂ  ブラシ部
１１２  基部
１１３  支持溝
【図１】
2008045858.tif 000003
【図２】
2008045858.tif 000004
【図３】
2008045858.tif 000005
【図４】
2008045858.tif 000006
【図５】
2008045858.tif 000007
【図６】
2008045858.tif 000008
【図７】
2008045858.tif 000009
【図８】
2008045858.tif 000010